【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
レガシー通信サブシステムを含むレガシー防衛システムから複数のノードを含む防衛ネットワークへサービスを提供するための情報管理システムにおいて、
前記レガシー防衛システムとの通信に応答し、前記レガシー防衛システムへ接続するように構成されているシステムインターフェースと、
前記レガシー通信サブシステムを介して前記防衛ネットワークのノードと通信するように構成されているネットワークインターフェースと、
システムインターフェースおよびネットワークインターフェースと通信するデータ処理システムとを具備し、データ処理システムは、
システムインターフェースを介してレガシー防衛システムからのサービスリクエストに応じてサービス応答をリクエストし、
レガシー防衛システムからサービス応答を受信し、
サービス応答をノードにより使用可能なフォーマットへ変換し、
ネットワークインターフェースと前記レガシー通信サブシステムを介して変換されたサービス応答を前記ノードへ送信することによって、ネットワークインターフェースを介して受信されたノードからのサービスリクエストに応答する情報管理システム。
【請求項２】
ネットワークインターフェースと前記システムインターフェースはオープンスタンダードにしたがっている請求項１記載の情報管理システム。
【請求項３】
前記データ処理システムは、
ネットワークインターフェースに応答する制御コアと、
制御コアに応答し、レガシー防衛システムに関連されるサブシステムと通信するサブシステムコアとを含み、サブシステムコアは制御コアに応答してサブシステムを制御する請求項１記載の情報管理システム。
【請求項４】
前記データ処理システムはさらにネットワークインターフェースと通信する通信管理装置を具備し、この通信管理装置は情報の変化に応答してのみ、ネットワークインターフェースを介してノードに与えられる情報を更新する請求項１記載の情報管理システム。
【請求項５】
情報管理システムは複数のレガシー防衛システムを取替えて動作できるように構成されている請求項１記載の情報管理システム。
【請求項６】
前記データ処理システムはネットワークインターフェースを介してノードにアクセス可能なローカルデータ登録を含み、そのローカルデータ登録はレガシー防衛システムから利用可能なサービスを記述した情報を提供する請求項１記載の情報管理システム。
【請求項７】
ネットワークインターフェースは非同期環境からサービスリクエストを受信し、
システムインターフェースは同期環境からサービス応答を受信する請求項１記載の情報管理システム。
【請求項８】
レガシー通信サブシステムを含むレガシー防衛システムから少なくとも１つのノードを含む防衛ネットワークへサービスを提供する方法において、
前記レガシー通信サブシステムを介して前記防衛ネットワークのノードと通信するように構成されているネットワークインターフェースを介してノードからサービスリクエストを受信し、
システムインターフェースを介してサービスリクエストにしたがってレガシー防衛システムからのサービス応答をリクエストし、
レガシー防衛システムからシステムインターフェースを介してサービス応答を受信し、
サービス応答をノードにより使用可能なフォーマットへ変換し、
ネットワークインターフェースと前記レガシー通信サブシステムを介して変換されたサービス応答をノードへ送信するステップを含んでいる方法。
【請求項９】
レガシー防衛システムは兵器装置を具備し、システムインターフェースは兵器システムの少なくとも１つのサブシステムと通信するように構成されている請求項８記載の方法。
【請求項１０】
さらに、情報の変化に応答してのみ、ネットワークインターフェースを介してノードに与えられる情報を更新する請求項８記載の方法。
【請求項１１】
さらに、システムインターフェースとの通信を可能にするためにレガシー防衛システムのソフトウェアシステムまたはハードウェアシステムの少なくとも一方を変更する請求項８記載の方法。
【請求項１２】
レガシー防衛システムからのサービス応答のリクエストは、
サービスリクエストにしたがって制御コアからサブシステムコアへサービスリクエストを提供し、
レガシー防衛システムに関連されるサブシステムをサービスリクエストにしたがってシステムインターフェースを介して制御するステップを含み、
レガシー防衛システムからのサービス応答の受信は、
システムインターフェースを介してサブシステムからサービス応答をサブシステムコアにより受信し、
サブシステムコアからのサービス応答を制御コアへ提供するステップを含んでいる請求項８記載の方法。
【請求項１３】
さらに、レガシー防衛システムから利用可能なサービスを記述した情報を、ネットワークインターフェースを介してノードへアクセス可能なローカルデータ登録へ提供する処理を含んでいる請求項８記載の方法。
【請求項１４】
サービスリクエストの受信は非同期環境からのサービスリクエストの受信を含み、
サービス応答の受信は同期環境からのサービスリクエストの受信を含んでいる請求項８記載の方法。
【請求項１５】
レガシー通信サブシステムを含むレガシー防衛システムからサービスを少なくとも１つのノードを含む防衛ネットワークへ提供するコンピュータ読取り可能なプログラムにおいて、コンピュータ読取り可能なプログラムはデータ処理システムに、
前記レガシー通信サブシステムを介して前記防衛ネットワークのノードと通信するように構成されたネットワークインターフェースを介してノードからサービスリクエストを受信させ、
システムインターフェースを介してサービスリクエストにしたがってレガシー防衛システムからサービス応答をリクエストさせ、
システムインターフェースを介してレガシー防衛システムからサービス応答を受信させ、
サービス応答をノードにより使用可能なフォーマットに変換させ、
ネットワークインターフェースと前記レガシー通信システムを介して変換されたサービス応答をノードに送信させるコンピュータ読取り可能なプログラム。
【請求項１６】
レガシー防衛システムは兵器システムを具備し、システムインターフェースは兵器システムの少なくとも１つのサブシステムと通信するように構成されている請求項１５記載のコンピュータ読取り可能なプログラム。
【請求項１７】
コンピュータ読取り可能なプログラムは情報の変化に応答してのみ、データ処理システムにネットワークインターフェースを介してノードに与えられる情報を更新させる請求項１５記載のコンピュータ読取り可能なプログラム。
【請求項１８】
コンピュータ読取り可能なプログラムは、さらにデータ処理システムに、
制御コアからのサービスリクエストをサービスリクエストにしたがってサブシステムへ提供し、
レガシー防衛システムに関連されるサブシステムをサービスリクエストにしたがってシステムインターフェースを介して制御することによって、レガシー防衛システムからのサービス応答をリクエストさせ、
サブシステムコアによりシステムインターフェースを介してサブシステムからサービス応答を受信し、
サブシステムコアからのサービス応答を制御コアに提供することによって、レガシー防衛システムからのサービス応答を受信するように構成されている請求項１５記載のコンピュータ読取り可能なプログラム。
【請求項１９】
コンピュータ読取り可能な媒体はさらに、データ処理システムにレガシー防衛システムから利用可能なサービスを記述した情報をネットワークインターフェースを介してノードにアクセス可能なローカルデータ登録へ提供させるように構成されている請求項１５記載のコンピュータ読取り可能なプログラム。
【請求項２０】
コンピュータ読取り可能な媒体はさらに、データ処理システムに非同期環境からサービスリクエストを受信させ、同期環境からサービス応答を受信させるように構成されている請求項１５記載のコンピュータ読取り可能なプログラム。